(57)【要約】【課題】シートヒータの発熱を十分に瓦に伝達して効率よく融雪を行うことができる融雪屋根構造を提供する。【解決手段】屋根材２０上に瓦１を葺設し、この瓦１の裏面側にシートヒータ２を取り付けてなる融雪屋根構造において、前記屋根材２０上には載置面３ａの角度を自在に調整できるシートヒータ用載置部材３が配置されており、前記載置面３ａの傾斜角度を瓦１の傾斜角度に一致するよう調整することにより、載置面３ａ上のシートヒータ２を瓦１の裏面に密着した状態とした。前記シートヒータ用載置部材３として、広小舞を用いることや、瓦１の上面に高熱伝導板材６を装着したものとすることもできる。【選択図】図１
2013245434.tif 000002
【特許請求の範囲】
【請求項１】
屋根材上に瓦を葺設し、この瓦の裏面側にシートヒータを取り付けてなる融雪屋根構造において、前記屋根材上には載置面の角度を自在に調整できるシートヒータ用載置部材が配置されており、前記載置面の傾斜角度を瓦の傾斜角度に一致するよう調整することにより、載置面上のシートヒータが瓦の裏面に密着した状態とされていることを特徴とする融雪屋根構造。
【請求項２】
シートヒータ用載置部材は、断面形状が略直角三角形の長尺な部材からなり、斜面が屋根材側に位置し、かつ直角部が瓦の頭部側に位置するように配置されており、前記斜面と屋根材との間に介在させたスライド部材によって載置面の傾斜角度を瓦の傾斜角度に一致するよう調整する構造となっている請求項１に記載の融雪屋根構造。
【請求項３】
シートヒータは、薄板状の断熱材を介してシートヒータ用載置部材の載置面上にセットされている請求項１または２に記載の融雪屋根構造。
【請求項４】
シートヒータ用載置部材として、広小舞を用いる請求項１〜３のいずれかに記載の融雪屋根構造。
【請求項５】
瓦の上面に、高熱伝導板材が装着されている請求項１〜４のいずれかに記載の融雪屋根構造。
【発明の詳細な説明】
【技術分野】
【０００１】
本発明は、シートヒータの発熱を十分に瓦に伝達して効率よく融雪を行うことができる融雪屋根構造に関するものである。
【背景技術】
【０００２】
降雪地の住宅等に採用される融雪屋根構造として、従来から電気式ヒータを用いたものや、ヒートパイプを用いたものや、温水を循環供給するもの等、種々のものが開発されている。この中で、融雪性能、耐久性、施工性、コスト面などの点からみて電気式ヒータを瓦の裏面側に敷設した構造のものが優れており、広く普及している。
この電気式ヒータとしては、大別すると棒状のヒータと帯状のシートヒータの２種類あるが、特に施工性、コスト面を考慮してシートヒータが多く使用されている（例えば、特許文献１や特許文献２を参照）。
【０００３】
しかしながら、シートヒータの場合は、ヒータを瓦の裏面に密着した状態としないとヒータの発熱を十分に瓦に伝達することができず、効率的な融雪を行うことができないことになる。一方、瓦の傾斜角度は瓦形状や成形精度等により微妙に異なっているため、瓦を屋根材に対して所定の角度となるようにセットするための特有の角度を有する載置台を準備しておき、これにシートヒータを載置して瓦の裏面に密着させるという方法が行われていた。
例えば、特許文献１においては、厚みのある発泡ポリスチレンからなる断熱部材を、瓦の傾斜根角度に対応した特有の傾斜面を有するものに加工し、載置台として利用することが記載されている。
【０００４】
以上のように、従来の技術においては、各々の瓦に対応するように傾斜角度の異なった載置台を事前に設計して準備しておく必要があり部品点数が増えるうえに、管理する手間も増えるという問題や、現場において手直し等ができないので現場での応答性や施工性に劣るという問題や、各瓦に応じた特有の形状の載置台であり汎用品を利用することができずコスト的にも高くなるという問題があった。
【先行技術文献】
【特許文献】
【０００５】
【特許文献１】特開２００５−２０７１１５号公報
【特許文献１】特開平１１−１３１７０９号公報
【発明の概要】
【発明が解決しようとする課題】
【０００６】
本発明は上記のような問題点を解決して、あらゆる形状の瓦に対応することが可能であり、また現場での応答性や施工性にも優れており、また簡単な構造からなる汎用品でコスト的にも安価である角度調整部材を用いてシートヒータを瓦の裏面に密着させることができ、この結果、シートヒータの発熱を十分に瓦に伝達して効率よく融雪を行うことができる融雪屋根構造を提供することを目的として完成されたものである。
【課題を解決するための手段】
【０００７】
上記課題を解決するためになされた本発明の融雪屋根構造は、屋根材上に瓦を葺設し、この瓦の裏面側にシートヒータを取り付けてなる融雪屋根構造において、前記屋根材上には載置面の角度を自在に調整できるシートヒータ用載置部材が配置されており、前記載置面の傾斜角度を瓦の傾斜角度に一致するよう調整することにより、載置面上のシートヒータが瓦の裏面に密着した状態とされていることを特徴とするものである。
【０００８】
前記シートヒータ用載置部材は、断面形状が略直角三角形の長尺な部材からなり、斜面が屋根材側に位置し、かつ直角部が瓦の頭部側に位置するように配置されており、前記斜面と屋根材との間に介在させたスライド部材によって載置面の傾斜角度を瓦の傾斜角度に一致するよう調整する構造となっているものが好ましく、これを請求項２に係る発明とする。
【０００９】
また、前記シートヒータは、薄板状の断熱材を介してシートヒータ用載置部材の載置面上にセットされているものが好ましく、これを請求項３に係る発明とする。
【００１０】
また、前記シートヒータ用載置部材として、広小舞を用いるものが好ましく、これを請求項４に係る発明とする。
【００１１】
更に、瓦の上面に、高熱伝導板材が装着されているものが好ましく、これを請求項５に係る発明とする。
【発明の効果】
【００１２】
請求項１に係る発明では、屋根材上に瓦を葺設し、この瓦の裏面側にシートヒータを取り付けてなる融雪屋根構造において、前記屋根材上には載置面の角度を自在に調整できるシートヒータ用載置部材が配置されており、前記載置面の傾斜角度を瓦の傾斜角度に一致するよう調整することにより、載置面上のシートヒータが瓦の裏面に密着した状態とされているものとしたので、両者間に隙間がなくなりシートヒータの発熱を十分に瓦に伝達できる結果、効率よく融雪を行うことが可能となる。
【００１３】
請求項２に係る発明では、シートヒータ用載置部材は、断面形状が略直角三角形の長尺な部材からなり、斜面が屋根材側に位置し、かつ直角部が瓦の頭部側に位置するように配置されており、前記斜面と屋根材との間に介在させたスライド部材によって載置面の傾斜角度を瓦の傾斜角度に一致するよう調整する構造としたので、瓦の傾斜角度が種々あっても一つの載置部材で全ての傾斜角度に対応させることができ、従来のように屋根形状に応じて専用の載置台を準備しなくてよくなる。しかも、現場において容易に角度調整が可能で優れた応答性および施工性を発揮することができる。
【００１４】
請求項３に係る発明では、シートヒータは、薄板状の断熱材を介してシートヒータ用載置部材の載置面上にセットされているものとしたので、シートヒータの発熱の全てを瓦側に伝達でき、より融雪を促進させることができる。また、断熱材が保護材となってシートヒータの破損を防止することもできる。
【００１５】
請求項４に係る発明では、シートヒータ用載置部材として、広小舞を用いたので、廃材利用に貢献することができる。また、安価であり施工コストを大幅に低減することができる。
【００１６】
請求項５に係る発明では、瓦の上面に、高熱伝導板材が装着されているものとしたので、シートヒータの融雪作用に加えて高熱伝導板材の融雪作用もあり、両者の相乗作用でより効率的な融雪を行うことができる。
【図面の簡単な説明】
【００１７】
【図１】本発明の実施の形態を示す正面断面図である。
【図２】シートヒータ用載置部材を示す斜視図である。
【図３】シートヒータ用載置部材の傾斜面の角度を調整する説明図である。
【発明を実施するための形態】
【００１８】
以下に、図面を参照しつつ本発明の好ましい実施の形態を示す。
図１は、本発明を粘土からなる平瓦を葺設した屋根構造に適用した例を示すものである。図において、２０は屋根材であり、この屋根材２０の上には瓦１が葺設されている。また、瓦１の裏面側には帯状体からなる一般的なシートヒータ２が取り付けられており、以上の構造は従来の融雪屋根構造と基本的に同じである。
なお、図中２１は軒先部の瓦１に取り付けられた雪止め材である。また、前記シートヒータ２の電源としては商用電力や太陽電池モジュール等を利用することができる。
【００１９】
前記屋根材２０上には、桟木２２が配置されていて瓦１の尻部が引掛けられており、また、瓦１の頭部側裏面に対向する位置には、載置面３ａの角度を自在に調整できるシートヒータ用載置部材３が配置されている。このシートヒータ用載置部材３は木材、プラスチック、発泡性プラスチック、金属などで形成することができる。そして、前記載置面３ａの傾斜角度を瓦１の傾斜角度に一致するよう調整することによって、載置面３ａ上のシートヒータ２が瓦１の裏面に密着した状態となるように構成してある。
【００２０】
図２に示されるように、前記シートヒータ用載置部材３は、断面形状が略直角三角形の長尺な部材からなり、斜面３ｂが屋根材側に位置し、かつ直角部３ｃが瓦の頭部側に位置するように配置されている。そして、前記斜面と屋根材２０との間に介在させたスライド部材４をスライド移動させることによって、載置面３ａの傾斜角度を自由に変化させ、瓦の傾斜角度に一致するよう調整する構造となっている。
【００２１】
図３に、載置面３ａの傾斜角度が変化する状態を示す。
前記シートヒータ用載置部材３は、斜面３ｂの下端部が屋根材２０に接した状態となっており、斜面３ｂと屋根材２０との間にはスライド部材４が介在された状態となっている。そして、このスライド部材４を屋根材２０に沿わせてスライド移動させることにより、斜面３ｂの下端部を中心として上端部を上下動させ、載置面３ａの傾斜角度を自由に変化させる。この結果、載置面３ａの傾斜角度を瓦１の傾斜角度に一致するように調整でき、載置面３ａ上のシートヒータ２と瓦１の裏面との間に隙間を発生させることなく、両者を完全に密着した状態とすることができる。
【００２２】
なお、載置面３ａの傾斜角度を決定した後は、シートヒータ用載置部材３及びスライド部材４を、釘打ちや接着剤などにより簡単に固定することができる。
このように、本発明では断面形状が略直角三角形の長尺な部材からなるシートヒータ用載置部材３と、角柱部材からなるスライド部材４を準備するのみでよく、しかも、この２部材を現場において調整することで自由に載置面３ａの傾斜角度を変化させることができるので、あらゆる傾斜角度の瓦１にも対応させることが可能となる。
【００２３】
なお、前記シートヒータ２は、例えば発泡ポリスチレン樹脂からなる薄板状の断熱材５を介してシートヒータ用載置部材３の載置面３ａ上にセットすることが好ましい。
これにより、シートヒータ２の発熱の全てを瓦側に伝達でき、より融雪を促進させることができ、また、この断熱材５が保護材となってシートヒータ２の破損を防止することができるという利点がある。
【００２４】
また、シートヒータ用載置部材３として、廃材を利用した広小舞を用いることが好ましい。この広小舞とは、軒先を揃える役割と野地板先端の止めの役割を目的に用いられる部材で、一般的には断面形状が略直角三角形の長尺な部材からなるものである。通常は、角材を取った残りの廃材から大量に生産されており、価格も安いものである。
このような広小舞をシートヒータ用載置部材３として利用することで、地球環境に優しく、かつ施工費の低減を図ることが可能となる。
【００２５】
更に、瓦１の上面に、高熱伝導板材６が装着されているものとすることが好ましい。この高熱伝導板材６は、例えば、熱伝導率が高く、かつ遠赤外線を放射する炭化珪素（ＳｉＣ）を主材とする焼結体からなるものである。
このような高熱伝導板材６は、シートヒータ２の加熱に起因して炭化珪素が遠赤外線を放射する作用により高熱伝導板材６に付着した雪を積極的に溶かすことになる。しかも、熱伝導率が高いので、シートヒータ２の僅かな加熱にも十分に反応して即座に温まり、より効率的な融雪作用を発揮することとなる。
【００２６】
以上は、粘土からなる平瓦を葺設した屋根構造について説明したが、その他に断面が曲面形状を有する和瓦に適用することもできる。
例えば、和瓦に高さ及び載置面の傾斜が異なる複数本のシートヒータ用載置部材を、所定間隔を空けて平行に並べ、この上にシートヒータ及び断熱材を載置して湾曲させた状態とすることにより、シートヒータが瓦の裏面に密着した状態とすることができる。
【００２７】
以上の説明からも明らかなように、本発明では屋根材上に載置面の角度を自在に調整できるシートヒータ用載置部材を配置し、前記載置面の傾斜角度を瓦の傾斜角度に一致するよう調整することによって、載置面上のシートヒータを瓦の裏面に密着した状態にしたので、シートヒータの発熱を十分に瓦に伝達して効率よく融雪を行うことができることとなる。しかも、本発明はあらゆる家屋の屋根の傾斜角度に対応することが可能であり、また現場での応答性や施工性にも優れており、また簡単な構造からなる汎用品でコスト的にも安価であるという利点も有する。
【符号の説明】
【００２８】
１  瓦
２  シートヒータ
３  シートヒータ用載置部材
３ａ  載置面
３ｂ  斜面
３ｃ  直角部
４  スライド部材
５  断熱材
６  高熱伝導板材
２０  屋根材
２１  雪止め材
２２  桟木
【図１】
2013245434.tif 000003
【図２】
2013245434.tif 000004
【図３】
2013245434.tif 000005